(57)【要約】【課題】  隣席からの煙草の煙や遊技機の音の影響を小さくすると共に、個室的な状態の空間を得ることができる遊技機用の椅子を提供すること。【解決手段】  遊技機用の椅子４は、パチンコ台、パチスロ台またはテレビゲーム機のいずれかである遊技機２が複数設置された遊技場１に設けられる。椅子４は、遊技者が着座するための着座部４１と、遊技場１の床１１に固定され、着座部４１を支持する支柱部材４３と、支柱部材４３に固定され、着座部４１の周辺に配置されて当該着座部４１に着座した遊技者の上半身を超える高さに設けられたシールド本体４４とを備えている。シールド本体４４は、着座部４１に着座する遊技者の左右に引出収納自在に配置した左右のシールド板４６，４７と、この両シールド板４６，４７を収納するシールド収納体４５とを有する。【選択図】      図１
2007097677.tif 000002
【特許請求の範囲】
【請求項１】
パチンコ台、パチスロ台またはテレビゲーム機のいずれかである遊技機が複数設置された遊技場に設けられる遊技機用の椅子において、
遊技者が着座するための着座部と、
前記遊技場の床に固定され、前記着座部を支持する支柱部材と、
この支柱部材に固定され、前記着座部の周辺に配置されて当該着座部に着座した遊技者の上半身を超える高さに設けられたシールド本体とを備え、
前記シールド本体は、前記着座部に着座する遊技者の左右に引出収納自在に配置した左右のシールド板と、この両シールド板を収納するシールド収納体とを有することを特徴とする遊技機用の椅子。
【請求項２】
前記シールド板は、平面視して、着座部を囲むように円弧状に形成され、かつ、前記シールド収納体および前記シールド板は、透明な樹脂材料で形成されていることを特徴とする請求項１に記載の遊技機用の椅子。
【発明の詳細な説明】
【技術分野】
【０００１】
本発明は、例えば、パチスロ台や、パチンコ台や、テレビゲーム機等の遊技機を操作する遊技者が利用するのに適した遊技機用の椅子に関する。
【背景技術】
【０００２】
従来からパチンコ台やパチスロ台やテレビゲーム機等の遊技機を操作する遊技者が着座する椅子は、一般に、遊技場の床に固定された支柱と、この支柱に回転自在に設置された着座部と、この着座部に連設された背もたれとから構成された回転椅子が利用されている。
遊技場では、遊技機用の椅子が各遊技島の各遊技機の前に列設されて、多数の遊技者が所定間隔に着座できるようになっている。
【０００３】
このような遊技場では、遊技機等から発生される音などによって騒音が大きく、また、煙草の煙が充満している場合が多い。そして、遊技場の天井には、煙草の煙を屋外に排出する空気調和装置の排気口や空気を浄化する空気清浄機等の装置が設置されている。
また、煙草の煙の対策としては、遊技者の頭部上方に、吸気ダクトを備えたフード体を配置したゲーム機用の椅子が知られている（例えば、特許文献１参照）。
【特許文献１】特開平７−１９４８３７号公報（請求項１７、図１および図３）
【発明の開示】
【発明が解決しようとする課題】
【０００４】
しかしながら、前記特許文献１のゲーム機用の椅子は、煙草の煙を吸い取るために、吸気ダクトや、吸気装置等や、空気を浄化するめのエアフィルタ等や、吸気装置を電源に電気的に接続するための電気配線や、吸気ダクトを設置するためのフード体等を設置しなければならない。このため、部品点数や組付工数が大幅に増加して椅子の構造が複雑化すると共に、コストが大幅に上昇するという問題点がある。
【０００５】
また、特許文献１のゲーム機用の椅子は、遊技者の頭部上方に、ヘルメット形状のフード体を配置しているので、遊技者が椅子に着座したり、椅子から立ち上がったりしたときに、頭部がフード体に当接するという問題点がある。
【０００６】
さらに、遊技場では、各遊技機から音が発生されることにより、遊技場内に流す音楽等を比較的大きな音にしなければならないため、遊技場全体に比較的大きな音が鳴り響いている。
このように、遊技場は、一般に、遊技機用の椅子が狭い間隔で配設されていることから、隣席からの煙草の煙や、隣席からのスピーカの音等の影響を小さくすることと、周囲の遊技者に気兼ねすることなく気楽に遊技機を操作できる個室的な状態になることが望まれていた。
【０００７】
本発明の課題は、隣席からの煙草の煙や遊技機の音の影響を小さくすると共に、個室的な状態の空間を得ることができる遊技機用の椅子を提供することにある。
【課題を解決するための手段】
【０００８】
前記課題を解決するために、請求項１に記載の遊技機用の椅子は、パチンコ台、パチスロ台またはテレビゲーム機のいずれかである遊技機が複数設置された遊技場に設けられる遊技機用の椅子において、着座者が着座するための着座部と、前記遊技場の床に固定され、前記着座部を支持する支柱部材と、この支柱部材に固定され、前記着座部の周辺に配置されて当該着座部に着座した遊技者の上半身を超える高さに設けられたシールド本体とを備え、前記シールド本体は、前記着座部に着座する遊技者の左右に引出収納自在に配置した左右のシールド板と、この両シールド板を収納するシールド収納体とを有することを特徴とする。
【０００９】
請求項１に記載の本発明によれば、遊技者が着座部に着座してシールド収納体から左右のシールド板を引き出すと、シールド収納体およびシールド板が遊技者の周辺の左右および背面が上半身を超える高さの衝立で覆われた状態になる。シールド本体の内側の椅子に着座した遊技者が喫煙した場合、煙草の煙や臭いは、シールド収納体およびシールド板の内壁によって、遊技者の左右および背面方向に広がることが抑制され、上方向にガイドされて上昇し、天井面に設置された空調装置の排気口や空気清浄機等に吸引される。
例えば、シールド本体を不透明体で形成した場合、遊技者は、シールド収納体およびシールド板によって左右および背面方向が覆われていることにより、周囲から遊技者を直接視認できないため、プライバシが守られ、周囲に気兼ねすることなく、リラックスした気持ちで遊技機を操作することができる。
【００１０】
請求項２に記載の遊技機用の椅子は、請求項１に記載の遊技機用の椅子であって、前記シールド板は、平面視して、着座部を囲むように円弧状に形成され、かつ、前記シールド収納体および前記シールド板は、透明な樹脂材料で形成されていることを特徴とする。
【００１１】
請求項２に記載の本発明によれば、遊技場の各遊技機からの音が前方の椅子に着座している遊技者の方向に向けて発散されると、シールド板が、円弧状に形成されていることにより、遊技者、遊技者の周囲のシールド収納体およびシールド板内において反射する。このため、スピーカからの音が遊技者の左右および背面側方向に広がることを抑制する。
また、椅子に着座した遊技者がその椅子を回転した場合、シールド板は、着座部を囲むように円弧状に形成されているため、シールド板を引き出しても、椅子が周囲の遊技者等に接触することがない。さらに、シールド収納体およびシールド板は、透明な樹脂材料によって形成されていることから、遊技者が遊技機を選択するときに、シールド本体越しに遊技機を目視することができる。
【発明の効果】
【００１２】
本発明の請求項１に係る遊技機用の椅子によれば、椅子の周囲にシールド収納体およびシールド板を配設したことによって、椅子に着座した遊技者からの煙草の煙や臭いが左右および背面方向に広がることを抑制して、遊技場全体が煙くなることを防止し、遊技場内の空気を綺麗にすることができる。
また、隣席からの遊技機の音についても影響を小さくすることができる。さらに、遊技者をシールド板によりシールドすることにより、隣の遊技者からの干渉を少なくすることができ、個室的な状態の空間を提供することができる。
【００１３】
本発明の請求項２に係る遊技機用の椅子によれば、シールド収納体およびシールド板が、椅子を回転した場合、着座部を囲むように円弧状に形成されていることにより、椅子が周囲の遊技者等に接触することがないため、遊技機や椅子を比較的狭い間隔で並設することを可能にする。また、シールド収納体およびシールド板は、透明であるため、シールド本体越しに遊技機を目視により選択することができる。
【発明を実施するための最良の形態】
【００１４】
次に、図１〜図４を参照して、本発明の実施形態を説明する。
図１は、本発明に係る遊技機用の椅子を示す斜視図である。図２は、本発明に係る遊技機用の椅子を示す側面図である。図３は、本発明に係る遊技機用の椅子を示す分解斜視図である。
【００１５】
≪遊技機の構成≫
図１および図２に示す遊技機２は、例えば、パチンコ台や、パチスロ台や、テレビゲーム機のいずれかであり、遊技場１内に並設された各遊技機２の前方に、椅子４がそれぞれ設置されている。遊技機２の操作器がある前面には、スピーカ３が設置されている。
図２に示すように、遊技場１内において、各遊技機２の前面には、所定間隔を介して、遊技者Ｍが着座する椅子４が設けられている。また、遊技場１の天井面１２には、遊技場１内の空気や煙草の煙等を吸引して排出したり浄化したりする排気口または空気清浄機（以下、単に「排気口１３」という）が設置されている。
【００１６】
≪椅子の構成≫
椅子４は、遊技機２が複数設置された遊技場１に設けられ、遊技機２を操作する遊技者Ｍ専用のものである。椅子４は、例えば、各遊技機２の前に所定間隔で設置され、遊技島に沿って一列に配設されている（図１参照）。
椅子４は、遊技者Ｍが着座するための着座部４１と、寄りかかった遊技者Ｍの背中を支持するための背もたれ４２と、遊技場１の床１１に固定され、着座部４１を支持する支柱部材４３と、この支柱部材４３に固定され、着座部４１の周辺に配置され当該着座部４１に着座した遊技者Ｍの上半身を超える高さに設けられたシールド本体４４とを備えている。なお、椅子４には、背もたれ４２がなくてもよい。
【００１７】
＜着座部の構成＞
着座部４１の上部は、遊技者Ｍが長時間着座できるようなクッション性のある材料によって形成され、平面視して略四角形あるいは略円形のものからなり、特にその形状は限定されない。着座部４１の下面部には、当該着座部４１を支柱部材４３に回転自在に軸支するための軸部４１ａを備えている。
なお、着座部４１の構造は、特に限定されず、例えば、軸部４１ａを支柱部材４３に対して上下方向に高さを調整できるものであっても、固定されたものであってもよい。
【００１８】
背もたれ４２は、例えば、着座部４１の上部と同様にクッション性のある部材によって形成されており、前記着座部４１の背面側に連設されている。なお、背もたれ４２は、特に、その構造、材質および形状は限定されず、例えば、シールド本体４４との間隔を広くして、リクライニングできるようにしてもよい。
【００１９】
＜支柱部材の構成＞
図３に示すように、支柱部材４３は、椅子４に着座部４１とシールド本体４４とを保持する部材であり、下端部が床１１に固定されている。この支柱部材４３は、上端部に形成され、軸部４１ａが軸装される軸装部４３ａと、前記シールド本体４４のシールド収納体４５に設けられた固定部４５ｃが固定されるフランジ部４３ｂと、このフランジ部４３ｂの上面に形成され固定部４５ｃの下面に形成された係止部４５ｄが係合する係合部４３ｃとを有している。この支柱部材４３の側面には、軸装部４３ａに挿入された軸部４１ａを固定または回動自在に係止するためのボルト等からなる固定具Ｂ１が締付け自在に螺着されている。
【００２０】
固定具Ｂ１は、支柱部材４３の軸装部４３ａを挿通して、先端を軸部４１ａに形成された環状溝内に係合することによって、着座部４１と一体の軸部４１ａを回動自在に支柱部材４３に連結するための部材である。
【００２１】
軸装部４３ａは、軸部４１ａが回動自在に挿入されるように、円筒状に形成されている。
フランジ部４３ｂは、例えば、軸装部４３ａの開口端に形成されシールド本体４４のリング状の固定部４５ｃに合致する鍔状の部材であり、固定部４５ｃを固定するためのボルト等からなる締結部材Ｂ２が挿通される貫通孔が複数穿設されている。
【００２２】
係合部４３ｃは、フランジ部４３ｂ上に載置されたシールド本体４４を、着座部４１に対して背もたれ４２が設置されている方向に位置決めし、回動しないように固定するためのものである。この係合部４３ｃは、縦断面が凸形状の係止部４５ｄが係合する縦断面が凹形状の溝からなる。
【００２３】
図４は、本発明に係る遊技機用の椅子を示す図であり、（ａ）はシールド板を収納しているときの状態を示す平面図、（ｂ）はシールド板をシールド収納体から引き出したときの状態示す平面図である。
【００２４】
＜シールド本体の構成＞
図２に示すように、シールド本体４４は、遊技機２の前方の椅子４に着座した遊技者Ｍが煙草を喫煙した場合に、煙草の煙や臭いが椅子４の外周部に広がるのを防止して天井面１２の排気口１３に向けて流れるようにガイドすると共に、遊技機２のスピーカ３から発散された音が遊技者Ｍの左右および背面方向に拡散することを防止するように反射したり（図４（ｂ）参照）、遊技者Ｍの左右および背面を衝立のように覆ってプライバシを守ったりするために使用されるものである。
このシールド本体４４は、着座部４１に着座する遊技者Ｍの左右に引出収納自在に配置された左右のシールド板４６，４７と、この両シールド板４６，４７を収納するシールド収納体４５とを主に備えて構成されている。
【００２５】
シールド収納体４５およびシールド板４６，４７は、平面視して、着座部４１を囲むように円弧状（略Ｃ字状）に形成され（図４（ｂ）参照）、例えば、透明な樹脂材料によって形成されている。シールド収納体４５およびシールド板４６，４７は、上端部が、着座した遊技者Ｍの上半身を超える高さに形成されて、下端部が、着座部４１より下方に配置された支柱部材４３の上端部に位置する高さに配置されている。
なお、シールド収納体４５およびシールド板４６，４７は、少なくともシールド板４６，４７が着座部４１を囲むように形成されていればよく、平面視して、円弧状に形成されているが、その円弧の曲率の大小、また、シールド板４６，４７が同一円弧上に設置されていなくても着座部４１を囲むように形成されていればよい。例えば、シールド収納体４５およびシールド板４６，４７は、平面視して、略直線に近い円弧状になっているものでも構わない。
【００２６】
図４（ａ）、（ｂ）に示すように、シールド収納体４５は、左右の側端部４５ａ，４５ｂにシールド板４６，４７を収納する収納空間（図示せず）の開口部を有し、その側端部４５ａ，４５ｂから着座部４１を中心として前方向に回動して着座部４１を囲むようにシールド板４６，４７をカイドし、かつ、それぞれ引出収納自在に配設すると共に、シールド本体４４を支柱部材４３に固定するための部材である。このシールド収納体４５には、支柱部材４３に設置されたフランジ部４３ｂに載設される固定部４５ｃと、この固定部４５ｃと平面視して円弧状なシールド収納体４５の下端部とを連結する連結部４５ｅと、背面に設置されたポケット４５ｆとが備えられている。
【００２７】
シールド板４６，４７は、湾曲した戸袋状のシールド収納体４５に対して、スライド円形ドアの引き戸のように引き出したり、押し込んだりすることができる厚板状の部材であり、前端部に遊技者Ｍが手を掛けるための把手４６ａ，４７ａを備えている。
【００２８】
≪遊技機用の椅子の組付手順および作用≫
次に、本発明に係る遊技機用の椅子４の組付手順および作用を、図１〜図４を参照して説明する。
図３に示すように、椅子４を組付けるときは、まず、床１１に固定された支柱部材４３の係合部４３ｃにシールド本体４４の係止部４５ｄを係合させて、フランジ部４３ｂの上に固定部４５ｃを載置する。
次に、締結部材Ｂ２で固定部４５ｃとフランジ部４３ｂとを締結して、支柱部材４３にシールド本体４４を固定する。
【００２９】
続いて、着座部４１の下方の軸部４１ａを軸装部４３ａに挿入する。さらに、固定具Ｂ１を支柱部材４３の軸装部４３ａに挿通して、先端を軸部４１ａに形成された環状溝内に係合することによって、軸部４１ａを支柱部材４３に回動自在に装着する。
このようにして、椅子４には、図１に示すように、シールド収納体４５とシールド板４６，４７が組付けられる。
【００３０】
遊技場１において、椅子４の着座部４１に遊技者Ｍが着座しない場合、図４（ａ）に示すように、左右のシールド板４６，４７をシールド収納体４５内に収納して、遊技者Ｍが着座部４１に着座し易い状態にしておく。このため、シールド本体４４の背面側である遊技場１の通路から椅子４に遊技者Ｍが着座しているか直ぐに判る。
【００３１】
また、シールド本体４４および椅子４を回動させて、着座部４１を遊技場１の通路側に向けておけば、さらに、遊技者Ｍは、椅子４に着座し易くなる。
そして、遊技者Ｍは、通路側に向いている着座部４１に着座して椅子４を遊技機２側に回動させれば、喩え、各椅子４の間隔が狭くとも容易に着座することができる。このとき、シールド収納体４５およびシールド板４６，４７は、平面視して着座部４１を囲むように円弧状に形成されていることにより、シールド本体４４から外周方向に突出している箇所がないため、周囲の遊技者Ｍに接触することがない。
【００３２】
遊技者Ｍが着座部４１に着座し、遊技機２を操作する場合には、遊技者Ｍは、図２および図４（ｂ）に示すように、把手４６ａ，４７ａを把持して、シールド板４６，４７をシールド収納体４５から引き出す。すると、遊技者Ｍの背面および背もたれ４２がシールド収納体４５によって覆われると共に、遊技者Ｍの左右および着座部４１がシールド板４６，４７によって覆われる。
【００３３】
そして、図４（ｂ）に示すように、椅子４の前方にある遊技機２のスピーカ３から音が発生されると、その音は、遊技機２の前方向に発散されるので、遊技者Ｍ、シールド収納体４５およびシールド板４６，４７に向かって発散されて、それらによって反射される。シールド収納体４５およびシールド板４６，４７は、平面視して略Ｃ字状になっていることにより、スピーカ３の音をシールド収納体４５およびシールド板４６，４７の内側面に反射するため（一部は遊技機２側に反射する）、スピーカ３の音が椅子４および遊技者Ｍの左右および背面側に伝達されることを低減させることができる。
逆に、遊技者Ｍの周囲からの音は、シールド収納体４５およびシールド板４６，４７の外側面によって反射して、聞こえ難くなる。
その結果、隣席からのスピーカ３の音等の影響を小さくすることができる。
【００３４】
これにより、シールド収納体４５およびシールド板４６，４７は、遊技機２のスピーカ３から発生された音をシールド本体４４内に反射することにより、遊技者Ｍの周囲の者に伝達されるのを低減すると共に、スピーカ３の音量を小さくしても遊技者Ｍに十分に聞こえるようにするため、音響効果も良好で、遊技場１全体を静かにすることができる。
このように、シールド収納体４５およびシールド板４６，４７を備えた椅子４は、防音機能も備えているため、コインを機械に入れて音楽を聴くジュークボックスとしても使用可能である。
【００３５】
また、図２に示すように、着座部４１に着座した遊技者Ｍが煙草を喫煙した場合、煙草の煙や臭いは、シールド収納体４５とシールド板４６，４７とによって遊技者Ｍの左右および背面の横方向に広がることが阻止されて、シールド収納体４５およびシールド板４６，４７にガイドされて矢印Ａの上方向の天井面１２に向かって上昇し、その天井面１２に設置された排気口１３から排出される。
【００３６】
このため、シールド収納体４５およびシールド板４６，４７は、椅子４に着座した遊技者Ｍによって煙草の煙が発生された場合、その煙や臭いが天井面１２（排気口１３）側に向かって流れるように指向性を持たせることができると共に、その煙がその遊技者Ｍの周囲に座っている他の遊技者Ｍの方へ流れることを防止できる。
その結果、煙草の煙や臭いが周囲の遊技者Ｍの方へ流れことを防止できるので、非喫煙者の洋服に臭いが染み込むことを防止できると共に、遊技場１全体が煙草の煙で煙たくなることや、煙草臭くなることを防止できる。このため、非喫煙者は、煙草の煙を気にせずに遊技機２を操作できるようになる。
【００３７】
また、図１に示すように、遊技場１では、椅子４が比較的狭い間隔で列設されていることがあり、この場合、遊技者Ｍの肩や腕等が隣の椅子４に着座した遊技者Ｍに接触することがあるが、シールド板４６，４７をシールド収納体４５から引き出して遊技機２を操作することにより遊技者Ｍが覆われた状態になるため、操作中に隣の遊技者Ｍに体が接触することを防止できると共に、隣の遊技者Ｍからの干渉を少なくすることができる。
【００３８】
さらに、シールド収納体４５およびシールド板４６，４７は、透明な材料によって形成されていることにより、天井面１２に設置されている照明器具からの光を遮ることがないため、シールド本体４４内や遊技場１内全体が暗くなることを回避できる。そして、シールド収納体４５およびシールド板４６，４７は、透明であるため、シールド本体４４越しに遊技機２を目視により選択することができる。
【００３９】
このように、遊技者Ｍは、シールド収納体４５からシールド板４６，４７を引き出した状態で椅子４に着座して遊技機２を操作することにより、隣の椅子４に着座した遊技者Ｍと体が接触することが防止され、煙草の煙や臭いやスピーカ３の音が左右および背面側の周囲にいる遊技者Ｍの方へ流れることが防止され、さらに、左右および背面がシールド収納体４５からシールド板４６，４７よって衝立をしたように覆われているため、周囲に気兼ねせずに気楽な気持ちで遊技機２を操作することができる。
【００４０】
なお、シールド収納体４５およびシールド板４６，４７を備えた椅子４は、電気回路や空調用装置を設置することなく、スピーカ３の音や煙草の煙対策として効果を発揮することができ、構造が簡素で、比較的安価に製造することができる。
また、シールド収納体４５は、遊技者Ｍに遊技場１のイベント等を知らせるためのインフォメーションボード等としても使用することが可能であり、便利である。
【００４１】
さらに、シールド収納体４５の背面に設置されたポケット４５ｆは、遊技機２の出玉の状況等を知らせるポップボードを差し込むためのホップ差しとして使用したり、その他の遊技者Ｍに知らせる宣伝用のボード等を差し込むためのものとして利用したりできる。
【００４２】
なお、本発明は、前記実施形態に限定されるものではなく、その技術的思想の範囲内で種々の改造および変更が可能であり、本発明はこれら改造および変更された発明にも及ぶことは勿論である。
【００４３】
≪変形例≫
本発明の実施形態に係る遊技機用の椅子４として、シールド収納体４５およびシールド板４６，４７が平面視して略円弧状に形成されていて、シールド板４６，４７をシールド収納体４５から引き出したときに、平面視して略Ｃ字状になる場合を例に挙げて説明したが、本発明は、次のようなものであってよい。
【００４４】
図５は、本発明に係る遊技機用の椅子４の変形例を示す平面図である。
図５に示すように、椅子５は、シールド本体５１のシールド収納体５２からシールド板５３，５４を引き出したときの遊技者Ｍの左右および背面を覆うようなものであればよい。例えば、椅子５は、平面視して略コ字状のシールド収納体５２の両側端部から真っ直ぐ前方の遊技機２側に向けて引き出される平板状のシールド板５３，５４から形成してもよい。このようにしても遊技者Ｍの左右および背面を覆うことができる。
【００４５】
また、本発明の実施形態に係る遊技機用の椅子４として、シールド収納体４５およびシールド板４６，４７が透明な樹脂材料で形成した場合を例に挙げて説明したが、本発明は、例えば、半透明や不透明体な部材で形成してもよい。このようにすることにより、椅子４に着座した遊技者Ｍは、シールド収納体４５およびシールド板４６，４７によって、周囲の者から足と操作する腕以外が見えなくなると共に、隣の遊技者Ｍと互いに干渉したりすることが低減できるため、個室的な状態の空間にして個室感覚を演出することができる。
【００４６】
さらに、遊技機２に設けたランプ等の発光体から発散される光が、不透明なシールド収納体４５およびシールド板４６，４７によって、前記スピーカ３の音と同様に反射されるため、周囲の遊技者Ｍを眩しく照らすことを解消できる。
そして、椅子４は、背もたれ４２とシールド本体４４との間隔を広げてリクライニングにして、シールド収納体４５およびシールド板４６，４７で覆い、遊技機２をスクリーンやテレビやディスプレイ機器等の映像画面にすることにより、映像鑑賞用としても使用することが可能である。この場合、シールド本体４４にスピーカを設置することにより、さらに音響効果を高めることができる。
【図面の簡単な説明】
【００４７】
【図１】本発明に係る遊技機用の椅子を示す斜視図である。
【図２】本発明に係る遊技機用の椅子を示す側面図である。
【図３】本発明に係る遊技機用の椅子を示す分解斜視図である。
【図４】本発明に係る遊技機用の椅子を示す図であり、（ａ）はシールド板を収納しているときの状態を示す平面図、（ｂ）はシールド板をシールド収納体から引き出したときの状態示す平面図である。
【図５】本発明に係る遊技機用の椅子の変形例を示す平面図である。
【符号の説明】
【００４８】
１      遊技場
２      遊技機
４，５  椅子
１１    床
４１    着座部
４１ａ  軸部
４３    支柱部材
４４，５１  シールド本体
４５，５２  シールド収納体
４６，４７，５３，５４  シールド板
Ｍ      遊技者
【図１】
2007097677.tif 000003
【図２】
2007097677.tif 000004
【図３】
2007097677.tif 000005
【図４】
2007097677.tif 000006
【図５】
2007097677.tif 000007